(57)【要約】  探索部（１０２）によって探索された目的地点までの経路に、出入国判断部（１０３）によって出入国審査をおこなう地点があると判断された場合、取得部（１０４）によって出入国審査に関する情報を取得し、受付部（１０５）によって各利用者の出入国に関する情報を受け付ける。そして、これらの情報に基づいて、各利用者がそれぞれの出入国審査を通過するための条件を満たすか否かを判断する。各利用者がそれぞれの出入国審査を通過するための条件を満たす場合、条件を満たしている旨の情報を出力し、出入国審査を通過するための条件を満たさない利用者がいる場合、検索部（１０７）によって出入国審査を通過する条件を申請するための在外公館を検索し、変更部（１０８）によって在外公館を経由する経路に変更して、出力部（１０１）に目的地点までの経路を表示する。
2008120329.tif 000002
【特許請求の範囲】
【請求項１】
目的地点までの経路を探索する探索手段と、
前記探索手段によって探索された目的地点までの経路において出入国審査をおこなう地点があるか否かを判断する出入国判断手段と、
前記出入国判断手段によって出入国審査をおこなう地点があると判断された場合、出入国審査に関する情報を取得する取得手段と、
利用者の出入国に関する情報の入力を受け付ける受付手段と、
前記取得手段によって取得された出入国審査に関する情報と、前記受付手段によって受け付けられた利用者の出入国に関する情報と、に基づいて、当該利用者が出入国審査を通過するための条件を満たすか否かを判断する通過判断手段と、
前記通過判断手段によって判断された判断結果を出力する出力手段と、
を備えることを特徴とする情報表示装置。
【請求項２】
前記出入国判断手段は、前記目的地点までの経路において出入国審査をおこなう地点の数を判断し、
前記通過判断手段は、前記出入国判断手段によって前記目的地点までの経路において出入国審査をおこなう地点が複数あると判断された場合、前記取得手段によって取得された出入国審査に関する情報と、前記受付手段によって受け付けられた利用者の出入国に関する情報と、に基づいて、利用者がそれぞれの出入国審査を通過するための条件を満たすか否かを判断することを特徴とする請求項１に記載の情報表示装置。
【請求項３】
前記受付手段は、複数の利用者の出入国に関する情報の入力を受け付け、
前記通過判断手段は、前記取得手段によって取得された出入国審査に関する情報と、前記受付手段によって受け付けられた複数の利用者の出入国に関する情報と、に基づいて、各利用者が出入国審査を通過するための条件を満たすか否かを判断することを特徴とする請求項１に記載の情報表示装置。
【請求項４】
前記通過判断手段は、前記取得手段によって取得された出入国審査に関する情報と、前記受付手段によって受け付けられた複数の利用者の出入国に関する情報と、に基づいて、各利用者がそれぞれの出入国審査を通過するための条件を満たすか否かを判断することを特徴とする請求項１に記載の情報表示装置。
【請求項５】
前記通過判断手段によって出入国審査を通過する条件を満たさないと判断された利用者がいる場合、当該出入国審査を通過する条件を申請するための在外公館を検索する検索手段と、
前記探索手段によって探索された目的地点までの経路を、前記検索手段によって検索された在外公館を経由する経路に変更する変更手段と、
を備えることを特徴とする請求項１に記載の情報表示装置。
【請求項６】
前記変更手段は、前記通過判断手段によって出入国審査を通過する条件を満たさない利用者がいると判断された場合、前記探索手段によって探索された目的地点までの経路を、前記出入国審査を通過する条件を満たさない利用者のいる国を通過しない経路に変更することを特徴とする請求項１に記載の情報表示装置。
【請求項７】
前記受付手段によって受け付けられる利用者に関する情報は、各利用者の査証、旅券およびそれらの有効期限に関する情報であることを特徴とする請求項１〜６のいずれか一つに記載の情報表示装置。
【請求項８】
目的地点を設定する設定手段と、
前記設定手段によって設定された目的地点に関する情報に基づいて、出入国審査をおこなう可能性があるか否かを判断する出入国判断手段と、
前記出入国判断手段によって出入国審査をおこなう可能性があると判断された場合、出入国審査に関する情報を取得する取得手段と、
利用者の出入国に関する情報の入力を受け付ける受付手段と、
前記取得手段によって取得された出入国審査に関する情報と、前記受付手段によって受け付けられた利用者の出入国に関する情報と、に基づいて、当該利用者が出入国審査を通過するための条件を満たすか否かを判断する通過判断手段と、
前記通過判断手段によって判断された判断結果を出力する出力手段と、
を備えることを特徴とする情報表示装置。
【請求項９】
目的地点までの経路を探索する探索工程と、
前記探索工程によって探索された目的地点までの経路において出入国審査をおこなう地点があるか否かを判断する出入国判断工程と、
前記出入国判断工程によって出入国審査をおこなう地点があると判断された場合、出入国審査に関する情報を取得する取得工程と、
利用者の出入国に関する情報の入力を受け付ける受付工程と、
前記取得工程によって取得された出入国審査に関する情報と、前記受付工程によって受け付けられた利用者の出入国に関する情報と、に基づいて、当該利用者が出入国審査を通過するための条件を満たすか否かを判断する通過判断工程と、
前記通過判断工程によって判断された判断結果を出力する出力工程と、
を含むことを特徴とする情報表示方法。
【請求項１０】
請求項９に記載の情報表示方法をコンピュータに実行させることを特徴とする情報表示プログラム。
【請求項１１】
請求項１０に記載の情報表示プログラムを記録したことを特徴とするコンピュータに読み取り可能な記録媒体。
【発明の詳細な説明】
【技術分野】
【０００１】
この発明は、出入国審査に関する情報を表示する情報表示装置、情報表示方法、情報表示プログラムおよび記録媒体に関する。ただし、この発明の利用は、上述した情報表示装置、情報表示方法、情報表示プログラムおよび記録媒体には限られない。
【背景技術】
【０００２】
従来、利用者が異なる国や州に移動したと判別された場合、当該地域での生活や行動において重要な影響を及ぼす情報（行動情報）、当該地域に特有の法律および交通規則（法律情報）、当該地域特有の通貨情報をデータセンターから取得して、利用者に提供する情報表示装置が提案されている。【０００３】
このような、情報表示装置の中には、自国内の地図データに加えて、国境から所定範囲内の隣接国の主要道路の地図データを地図データ記憶手段に記録し、経路探索が指示された時、隣接国の道路を含めて目的地までの誘導経路を探索する情報表示装置が提案されている（たとえば、下記特許文献１参照。）。この情報表示装置は、自国内のみの道路で目的地までの誘導経路を探索するか（国内優先）、隣接国の道路を含めて目的地までの誘導経路を探索するかを設定し、経路探索が指示された時、国内優先が設定されているか否かに応じて目的地までの誘導経路を探索する。【０００４】
また、現在地点に応じた言語、もしくは、あらかじめ定められた特定の言語を選択し、選択された言語を地図データに関連付けて表示する情報表示装置が提案されている（たとえば、下記特許文献２参照。）。この情報表示装置は、地図データに関連付けて表示する表示文字を、複数言語にて同時表示する。【０００５】
さらに、各地域において異なる標準時が用いられている場合、利用者の移動に応じて時計の時刻を変更する情報表示装置が提案されている（たとえば、下記特許文献３参照。）。この情報表示装置は、目的地点が現在地点と異なる標準時の場合、目的地点への予測される到着時刻を目的地点の標準時を用いた時刻に変更する。【０００６】
【特許文献１】特開平１０−８２６４９号公報
【特許文献２】特開平１１−２１９１０５号公報
【特許文献３】特開２００４−２２６３０２号公報
【発明の開示】
【発明が解決しようとする課題】
【０００７】
しかしながら、上述した特許文献１〜３の技術では、出入国審査を通過するために必要な条件を、事前に提示することができないといった問題が一例として挙げられる。したがって、利用者は、国境を越える旅行やドライブなどにおいて、国境検問所で初めてパスポートや査証が必要であると気づいた場合、国境を通ることができない。また、たとえば、入国時には審査されなかったが、出国時において査証がないことを指摘され、出国できないといった問題が一例として挙げられる。
【課題を解決するための手段】
【０００８】
上述した課題を解決し、目的を達成するため、請求項１の発明にかかる情報表示装置は、目的地点までの経路を探索する探索手段と、前記探索手段によって探索された目的地点までの経路において出入国審査をおこなう地点があるか否かを判断する出入国判断手段と、前記出入国判断手段によって出入国審査をおこなう地点があると判断された場合、出入国審査に関する情報を取得する取得手段と、利用者の出入国に関する情報の入力を受け付ける受付手段と、前記取得手段によって取得された出入国審査に関する情報と、前記受付手段によって受け付けられた利用者の出入国に関する情報と、に基づいて、当該利用者が出入国審査を通過するための条件を満たすか否かを判断する通過判断手段と、前記通過判断手段によって判断された判断結果を出力する出力手段と、を備えることを特徴とする。【０００９】
また、請求項９の発明にかかる情報表示方法は、目的地点までの経路を探索する探索工程と、前記探索工程によって探索された目的地点までの経路において出入国審査をおこなう地点があるか否かを判断する出入国判断工程と、前記出入国判断工程によって出入国審査をおこなう地点があると判断された場合、出入国審査に関する情報を取得する取得工程と、利用者の出入国に関する情報の入力を受け付ける受付工程と、前記取得工程によって取得された出入国審査に関する情報と、前記受付工程によって受け付けられた利用者の出入国に関する情報と、に基づいて、当該利用者が出入国審査を通過するための条件を満たすか否かを判断する通過判断工程と、前記通過判断工程によって判断された判断結果を出力する出力工程と、を含むことを特徴とする。【００１０】
また、請求項１０の発明にかかる情報表示プログラムは、請求項９に記載の情報表示方法をコンピュータに実行させることを特徴とする。【００１１】
また、請求項１１の発明にかかる記録媒体は、請求項１０に記載の情報表示プログラムをコンピュータに読み取り可能な状態で記録したことを特徴とする。
【図面の簡単な説明】
【００１２】
【図１】図１は、本実施の形態にかかる情報表示装置の機能的構成を示すブロック図である。
【図２】図２は、本実施の形態にかかる情報表示装置の情報表示処理手順を示すフローチャートである。
【図３】図３は、本実施例にかかるナビゲーション装置のハードウェア構成を示すブロック図である。
【図４】図４は、本実施例にかかるナビゲーション装置の処理の内容を示すフローチャートである。
【図５】図５は、入力画面の内容の一例を示した説明図である。
【図６】図６は、経路変更処理の内容の一例について示した説明図である。
【図７】図７は、複数の旅行者による旅程の変更処理の内容について示した説明図である。
【符号の説明】
【００１３】
１００  情報表示装置
１０１  出力部
１０２  探索部
１０３  出入国判断部
１０４  取得部
１０５  受付部
１０６  通過判断部
１０７  検索部
１０８  変更部
１０９  設定部
【発明を実施するための最良の形態】
【００１４】
以下に添付図面を参照して、この発明にかかる情報表示装置、情報表示方法、情報表示プログラムおよび記録媒体の好適な実施の形態を詳細に説明する。【００１５】
（実施の形態）
（情報表示装置の機能的構成）
まず、この発明の実施の形態にかかる情報表示装置１００の機能的構成について説明する。図１は、本実施の形態にかかる情報表示装置の機能的構成を示すブロック図である。【００１６】
図１において、情報表示装置１００は、出力部１０１と、探索部１０２と、出入国判断部１０３と、取得部１０４と、受付部１０５と、通過判断部１０６と、検索部１０７と、変更部１０８と、設定部１０９と、を備えている。出力部１０１は、地図データを表示する表示画面を備えている。ここで、地図データは、図示しない記憶部に記憶されている。地図データは、ノードおよびリンクからなる道路ネットワークデータと、施設や道路その他地形（山、川、土地）に関するフィーチャを用いて描画される画像データとを含んでいる。地図データは、文字情報、施設の名称や住所などの情報、道路や施設の画像などを含んでいてもよい。また、出力部１０１は、音声情報を出力するスピーカを備えていてもよい。そして、出力部１０１は、後述する通過判断部１０６によって判断された判断結果を表示画面やスピーカに出力する。【００１７】
探索部１０２は、目的地点までの経路を探索する。探索部１０２は、具体的には、たとえば、車両などの移動体による経路を探索してもよいし、パーソナル・コンピュータなどによって旅行の日程を探索してもよい。旅行の日程を探索する場合、詳細な経路を探索せず、訪問する国の順番などのみ探索してもよい。このように、目的地点が他国でもよいし、目的地点までの経路が国境を跨っていてもよい。また、探索部１０２は、設定部１０９によって設定された目的地点までの経路を探索してもよい。【００１８】
出入国判断部１０３は、探索部１０２によって探索された目的地点までの経路において出入国審査をおこなう地点があるか否かを判断する。出入国審査をおこなう地点は、たとえば、国境の検問所や、空港などの出入国カウンターなどである。出入国判断部１０３は、具体的には、たとえば、車両や徒歩などによって国境を越える場合、飛行機などによる移動で出発国および到着国が異なる場合などに、出入国審査をおこなう地点があると判断する。また、出入国判断部１０３は、出入国審査をおこなう地点の数を判断してもよい。【００１９】
なお、出入国判断部１０３は、たとえば、設定部１０９によって設定された目的地点に関する情報に基づいて、出入国審査をおこなう可能性があるか否かを判断するようにしてもよい。たとえば、探索部１０２によって探索された目的地点までの経路において出入国審査をおこなう地点がなかったとしても、目的地点が国境際であった場合には、国境を越える可能性があると考えられるため、出入国審査をおこなう可能性があると判断するようにしてもよい。この場合には、国境際の目的地点近傍に存在する出入国審査をおこなう地点が判断の対象とされる。【００２０】
取得部１０４は、出入国判断部１０３によって出入国審査をおこなう地点があると判断された場合または出入国審査をおこなう可能性があると判断された場合、出入国審査に関する情報を取得する。出入国審査に関する情報は、旅券（パスポート）の有効期限、査証（ビザ）の有無、入国可能な国籍などの情報である。取得部１０４は、図示しない記録部などから出入国審査に関する情報を取得してもよいし、ネットワークを介して外部サーバなどから出入国審査に関する情報を取得してもよい。また、取得部１０４は、出入国判断部１０３によって判断された出入国審査をおこなう地点のみの出入国審査に関する情報を取得してもよい。【００２１】
受付部１０５は、利用者の出入国に関する情報の入力を受け付ける。利用者の出入国に関する情報は、各利用者の査証、旅券およびそれらの有効期限に関する情報である。具体的には、たとえば、各利用者の氏名、国籍、旅券の有効期限、ビザの有無などの情報である。また、受付部１０５は、複数の利用者の出入国に関する情報の入力を受け付けてもよい。さらに、受付部１０５によって入力された利用者の出入国に関する情報を、図示しない記録部などに記録してもよい。この場合、再度受付部１０５によって受け付ける場合、たとえば、利用者の氏名を選択するのみで記録された他の情報を読み出すようにしてもよい。【００２２】
通過判断部１０６は、取得部１０４によって取得された出入国審査に関する情報と、受付部１０５によって受け付けられた利用者の出入国に関する情報と、に基づいて、利用者が出入国審査を通過するための条件を満たすか否かを判断する。具体的には、たとえば、利用者の国籍や旅券の有効期限が出入国審査を通過するための条件を満たしているか、査証が必要な場合、必要な査証を持っているかなどを判断する。また、通過判断部１０６は、出入国判断部１０３によって目的地点までの経路において出入国審査をおこなう地点が複数あると判断された場合、取得部１０４によって取得された出入国審査に関する情報と、受付部１０５によって受け付けられた利用者の出入国に関する情報と、に基づいて、利用者がそれぞれの出入国審査を通過するための条件を満たすか否かを判断する。【００２３】
さらに、通過判断部１０６は、取得部１０４によって取得された出入国審査に関する情報と、受付部１０５によって受け付けられた複数の利用者の出入国に関する情報と、に基づいて、各利用者が出入国審査を通過するための条件を満たすか否かを判断する。また、各利用者がそれぞれの出入国審査を通過するための条件を満たすか否かを判断してもよい。したがって、複数の利用者が同行する場合や、途中から参加する利用者や途中で同行をやめる利用者がいる場合も、それぞれの出入国審査をおこなう地点の前に、その出入国審査を受ける各利用者に対して出入国審査を通過するための条件を満たすか否かを判断することができる。【００２４】
検索部１０７は、通過判断部１０６によって出入国審査を通過する条件を満たさないと判断された利用者がいる場合、出入国審査を通過する条件を申請するための在外公館を検索する。在外公館は、たとえば、各国の大使館や領事館である。具体的には、たとえば、パスポートの有効期限が出入国審査を通過するための条件を満たさない場合は、利用者の国籍の国の在外公館を検索する。また、査証に関して出入国審査を通過するための条件を満たさない場合は、入国する国の在外公館を検索する。【００２５】
変更部１０８は、探索部１０２によって探索された目的地点までの経路を、検索部１０７によって検索された在外公館を経由する経路に変更する。また、変更部１０８は、通過判断部１０６によって出入国審査を通過する条件を満たさない利用者がいると判断された場合、探索部１０２によって探索された目的地点までの経路を、出入国審査を通過する条件を満たさない利用者のいる国を通過しない経路に変更してもよい。さらに、変更部１０８は、たとえば、通過判断部１０６によって出入国審査を通過する条件を満たさない利用者がいると判断された場合、出入国審査を通過する条件を満たさない利用者のいる国を訪問する順番を変更してもよい。また、変更部１０８は、たとえば、出入国審査を通過する条件を満たさない利用者のみ飛行機などを使用し、出入国審査を通過する条件を満たさない国に入国しない経路に変更してもよい。このように、利用者は、自身の所望する経路（旅程）に変更することができる。【００２６】
（情報表示装置の情報表示処理手順）
つぎに、情報表示装置１００の情報表示処理手順について説明する。図２は、本実施の形態にかかる情報表示装置の情報表示処理手順を示すフローチャートである。図２のフローチャートにおいて、まず、探索部１０２によって目的地点までの経路を探索する（ステップＳ２０１）。そして、出入国判断部１０３によって、ステップＳ２０１において探索された目的地点までの経路に出入国審査をおこなう地点があるか否かを判断する（ステップＳ２０２）。【００２７】
ステップＳ２０２において出入国審査をおこなう地点があると判断された場合（ステップＳ２０２：Ｙｅｓ）、取得部１０４によって出入国審査に関する情報を取得し（ステップＳ２０３）、受付部１０５によって各利用者の出入国に関する情報を受け付ける（ステップＳ２０４）。そして、ステップＳ２０３において取得された出入国審査に関する情報と、ステップＳ２０４において取得された各利用者の出入国に関する情報と、に基づいて、各利用者がそれぞれの出入国審査を通過するための条件を満たすか否かを判断する（ステップＳ２０５）。【００２８】
ステップＳ２０５において各利用者がそれぞれの出入国審査を通過するための条件を満たす場合（ステップＳ２０５：Ｙｅｓ）、各利用者がそれぞれの出入国審査を通過するための条件を満たしている旨の情報を出力して（ステップＳ２０６）、一連の処理を終了する。ステップＳ２０６において各利用者がそれぞれの出入国審査を通過するための条件を満たしている旨の情報は、たとえば、「出入国審査に必要なものは揃っています。」といった音声情報や文字情報などである。一方、ステップＳ２０２において出入国審査をおこなう地点がないと判断された場合（ステップＳ２０２：Ｎｏ）、ステップＳ２０６に進み、ステップＳ２０１において探索された目的地点までの経路を出力して、一連の処理を終了する。【００２９】
また、ステップＳ２０５において各利用者がそれぞれの出入国審査を通過するための条件を満たさない場合（ステップＳ２０５：Ｎｏ）、すなわち、出入国審査を通過するための条件を満たさない利用者がいる場合、検索部１０７によって出入国審査を通過する条件を申請するための在外公館を検索する（ステップＳ２０７）。そして、ステップＳ２０１において探索された目的地点までの経路を、ステップＳ２０７において検索された在外公館を経由する経路へ、変更部１０８によって変更して（ステップＳ２０８）、ステップＳ２０６へ進む。ステップＳ２０６においては、ステップＳ２０８において変更された経路を表示画面に出力して、一連の処理を終了する。【００３０】
なお、図２のフローチャートにおいては、ステップＳ２０５：Ｎｏにおいてそれぞれの出入国審査を通過するための条件を満たさない場合、ステップＳ２０７において申請するための在外公館を検索するとしているが、これに限るものではない。具体的には、たとえば、出入国審査を通過するための条件を満たさない利用者のいる国を通過しない経路に変更してもよい。また、たとえば、複数の出入国審査を越えて移動する場合、出入国審査を通過するための条件を満たさない利用者のみ空路による経路に変更したり、国を訪問する順番を変更したりしてもよい。また、たとえば、ステップＳ２０１において経路を探索する前に、設定部１０９によって設定された目的地点から、たとえば、国境際の目的地点であるなどの目的地点に関する情報を取得し、ステップＳ２０２において出入国審査をおこなう可能性があるか否かを判断するようにしてもよい。この場合には、目的地点近傍の出入国審査をおこなう地点を対象とすることとなる。【００３１】
また、図２のフローチャートにおいては、ステップＳ２０５：Ｎｏにおいて各利用者がそれぞれの出入国審査を通過するための条件を満たさない場合、ステップＳ２０７に進み、申請するための在外公館を検索するとしているが、これに限るものではない。具体的には、たとえば、在外公館を検索せず、出入国審査を通過できない利用者がいる旨と、出入国審査に必要なものに関する情報を表示して、一連の処理を終了するようにしてもよい。【００３２】
上述したように、本実施の形態の情報表示装置１００によれば、探索部１０２によって探索された目的地点までの経路において、出入国判断部１０３によって出入国審査をおこなう地点があるか否かを判断する。出入国審査をおこなう地点があると判断された場合、取得部１０４によって取得された出入国審査に関する情報と、受付部１０５によって受け付けられた利用者の出入国に関する情報と、に基づいて、通過判断部１０６によって利用者が出入国審査を通過するための条件を満たすか否かを判断し、判断結果を出力部１０１へ出力することができる。【００３３】
したがって、目的地点までの経路において出入国審査があっても、事前に出入国審査に必要な条件を利用者に提示することができる。これによって、利用者は、国境を越える旅行やドライブなどの場合、目的地点までの経路が設定された時点で、国境検問所において出入国審査を通過するための条件を知ることができるため、出入国審査に必要なパスポートやビザなどを忘れることを防ぐことができる。【００３４】
また、本実施の形態の情報表示装置１００によれば、出入国判断部１０３によって目的地点までの経路において出入国審査をおこなう地点が複数あると判断された場合、取得部１０４によって取得された出入国審査に関する情報と、受付部１０５によって受け付けられた利用者の出入国に関する情報と、に基づいて、通過判断部１０６によって利用者がそれぞれの出入国審査を通過するための条件を満たすか否かを判断することができる。【００３５】
したがって、目的地点までの経路において出入国審査をおこなう地点が複数あっても、事前にそれぞれの出入国審査に必要な条件を利用者に提示することができる。これによって、利用者は、国境を複数回にわたって越える旅行やドライブなどの場合、目的地点までの経路が設定された時点で、それぞれの国境検問所において出入国審査を通過するための条件を知ることができる。したがって、目的地点までに複数の出入国審査があっても、それぞれの出入国審査に必要なパスポートやビザなどを忘れることを防ぎ、目的地点まで快適に旅行やドライブを楽しむことができる。【００３６】
また、本実施の形態の情報表示装置１００によれば、受付部１０５によって、複数の利用者の出入国に関する情報の入力を受け付け、通過判断部１０６によって、各利用者が出入国審査を通過するための条件を満たすか否かを判断することができる。したがって、利用者が複数人いる場合、事前に出入国審査に必要な条件を利用者ごとに提示することができる。これによって、複数人の利用者が同行して、国境を越える旅行やドライブなどをする場合、目的地点までの経路が設定された時点で、国境検問所において出入国審査を通過するための条件を利用者ごとに知ることができる。したがって、同行する全員が出入国審査に必要なパスポートやビザなどを忘れることを防ぎ、目的地点まで快適に旅行やドライブを楽しむことができる。【００３７】
また、本実施の形態の情報表示装置１００によれば、取得部１０４によって取得された出入国審査に関する情報と、受付部１０５によって受け付けられた複数の利用者の出入国に関する情報と、に基づいて、通過判断部１０６によって、各利用者がそれぞれの出入国審査を通過するための条件を満たすか否かを判断することができる。したがって、利用者が複数人いる場合、目的地点までの経路において出入国審査をおこなう地点が複数あっても、事前にそれぞれの出入国審査に必要な条件を利用者ごとに提示することができる。【００３８】
これによって、複数人の利用者が同行して、国境を複数回にわたって越える旅行やドライブなどをする場合、目的地点までの経路が設定された時点で、それぞれの国境検問所において出入国審査を通過するための条件を利用者ごとに知ることができる。したがって、目的地点までに複数の出入国審査があっても、同行する全員がそれぞれの出入国審査に必要なパスポートやビザなどを忘れることを防ぎ、目的地点まで快適に旅行やドライブを楽しむことができる。【００３９】
また、本実施の形態の情報表示装置１００によれば、通過判断部１０６によって出入国審査を通過する条件を満たさないと判断された利用者がいる場合、検索部１０７によって出入国審査を通過する条件を申請するための在外公館を検索し、変更部１０８によって、目的地点までの経路を検索された在外公館を経由する経路に変更することができる。したがって、出入国審査を通過する条件を満たさない利用者に対して、出入国審査を通過する条件を申請するための在外公館まで誘導することができる。これによって、利用者は、出入国審査を通過する条件を申請することができ、国境を越える旅行やドライブなどを、目的地点まで快適に楽しむことができる。【００４０】
また、本実施の形態の情報表示装置１００によれば、通過判断部１０６によって出入国審査を通過する条件を満たさない利用者がいると判断された場合、変更部１０８によって、目的地点までの経路を、出入国審査を通過する条件を満たさない利用者のいる国を通過しない経路に変更することができる。したがって、利用者の国籍やパスポートの有効期限などによって入国できない国を通らず、目的地点まで到達することができる。これによって、利用者は、同行者の入国可能な国のみを通る経路に変更することができ、国境を越える旅行やドライブなどを、目的地点まで快適に楽しむことができる。
【実施例】
【００４１】
以下に、本発明の実施例について説明する。本実施例では、たとえば、車両（四輪車、二輪車を含む）などの移動体に搭載されるナビゲーション装置によって、本発明の情報表示装置１００を実施した場合の一例について説明する。【００４２】
（ナビゲーション装置のハードウェア構成）
つぎに、本実施例にかかるナビゲーション装置３００のハードウェア構成について説明する。図３は、本実施例にかかるナビゲーション装置のハードウェア構成を示すブロック図である。図３において、ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ３１２と、ディスプレイ３１３と、通信Ｉ／Ｆ３１４と、ＧＰＳユニット３１５と、各種センサ３１６と、カメラ３１７と、を備えている。各構成部３０１〜３１７は、バス３２０によってそれぞれ接続されている。【００４３】
まず、ＣＰＵ３０１は、ナビゲーション装置３００の全体の制御を司る。ＲＯＭ３０２は、ブートプログラム、データ更新プログラム、出入国審査地点判断プログラム、出入国審査通過判断プログラムなどのプログラムを記録している。また、ＲＡＭ３０３は、ＣＰＵ３０１のワークエリアとして使用される。すなわち、ＣＰＵ３０１は、ＲＡＭ３０３をワークエリアとして使用しながら、ＲＯＭ３０２に記録された各種プログラムを実行することによって、ナビゲーション装置３００の全体の制御を司る。【００４４】
出入国審査地点判断プログラムは、目的地点までの経路において出入国審査をおこなう地点があるか否かを判断させる。具体的には、目的地点までの経路が、出入国審査をおこなう国境検問所を通る場合、出入国審査をおこなう地点があると判断させる。【００４５】
出入国審査通過判断プログラムは、出入国審査をおこなう地点を通る際に車両に搭乗している利用者ごとに、出入国審査を通過するための条件を満たすか否かを判断させる。具体的には、たとえば、出入国審査地点判断プログラムによって判断された出入国審査をおこなう地点ごとに、各利用者が出入国審査を通過するための条件を満たしているか否かを判断させる。【００４６】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。【００４７】
また、光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータが読み出される着脱自在な記録媒体である。光ディスク３０７は、書き込み可能な記録媒体を利用することもできる。着脱可能な記録媒体として、光ディスク３０７のほか、ＭＯ、メモリカードなどであってもよい。【００４８】
磁気ディスク３０５および光ディスク３０７に記録される情報の一例としては、地図データや機能データが挙げられる。地図データは、建物、河川、地表面などの地物（フィーチャ）をあらわす背景データと、道路の形状をあらわす道路形状データとを含んでおり、地区ごとに分けられた複数のデータファイルによって構成されている。【００４９】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。【００５０】
機能データは、地図上の施設の形状をあらわす３次元データ、当該施設の説明をあらわす文字データ、その他地図データ以外の各種のデータである。地図データや機能データは、地区ごとあるいは機能ごとにブロック分けされた状態で記録されている。具体的には、たとえば、地図データは、各々が、表示画面に表示された地図において所定の地区をあらわすように、地区ごとにブロック分けすることができる状態で記録されている。また、たとえば、機能データは、各々が、１つの機能を実現するように、機能ごとに複数にブロック分けすることができる状態で記録されている。【００５１】
また、機能データは、上述した３次元データや文字データに加えて、経路探索、所要時間の算出、経路誘導などを実現するプログラムデータなどの機能を実現するためのデータである。地図データおよび機能データは、それぞれ、地区ごとあるいは機能ごとに分けられた複数のデータファイルによって構成されている。【００５２】
音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。マイク３０９は、たとえば、車両のサンバイザー付近に設置され、その数は単数でも複数でもよい。スピーカ３１０からは、所定の音声信号を音声Ｉ／Ｆ３０８内でＤ／Ａ変換した音声が出力される。なお、マイク３０９から入力された音声は、音声データとして磁気ディスク３０５あるいは光ディスク３０７に記録可能である。【００５３】
入力デバイス３１１は、文字、数値、各種指示などの入力のための複数のキーを備えたリモコン、キーボード、タッチパネルなどが挙げられる。入力デバイス３１１は、リモコン、キーボード、タッチパネルのうちいずれか１つの形態によって実現されてもよいが、複数の形態によって実現することも可能である。【００５４】
映像Ｉ／Ｆ３１２は、ディスプレイ３１３に接続される。映像Ｉ／Ｆ３１２は、具体的には、たとえば、ディスプレイ３１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１３を制御する制御ＩＣなどによって構成される。【００５５】
ディスプレイ３１３には、アイコン、カーソル、メニュー、ウインドウ、あるいは文字や画像などの各種データが表示される。ディスプレイ３１３には、上述した地図データが、２次元または３次元に描画される。ディスプレイ３１３に表示された地図データには、ナビゲーション装置３００を搭載した車両の現在位置をあらわすマークなどを重ねて表示することができる。車両の現在位置は、ＣＰＵ３０１によって算出される。【００５６】
ディスプレイ３１３としては、たとえば、ＣＲＴ、ＴＦＴ液晶ディスプレイ、プラズマディスプレイなどを用いることができる。ディスプレイ３１３は、たとえば、車両のダッシュボード付近に設置される。ディスプレイ３１３は、車両のダッシュボード付近のほか、車両の後部座席周辺などに設置するなどして、車両において複数設置されていてもよい。【００５７】
通信Ｉ／Ｆ３１４は、無線を介してネットワークに接続され、ナビゲーション装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。【００５８】
通信網には、ＬＡＮ、ＷＡＮ、公衆回線網や携帯電話網などがある。具体的には、通信Ｉ／Ｆ３１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。【００５９】
ＧＰＳユニット３１５は、ＧＰＳ衛星からの電波を受信し、車両の現在位置を示す情報を出力する。ＧＰＳユニット３１５の出力情報は、後述する各種センサ３１６の出力値とともに、ＣＰＵ３０１による車両の現在位置の算出に際して利用される。現在位置を示す情報は、たとえば緯度・経度、高度などの、地図データ上の１点を特定する情報である。【００６０】
各種センサ３１６は、車速センサ、加速度センサ、角速度センサなどの、車両の位置や挙動を判断するための情報を出力する。各種センサ３１６の出力値は、ＣＰＵ３０１による車両の現在位置の算出や、速度や方位の変化量の算出に用いられる。【００６１】
カメラ３１７は、車両内部あるいは外部の映像を撮影する。映像は静止画あるいは動画のどちらでもよく、たとえば、カメラ３１７によって車両内部の搭乗者の挙動を撮影し、撮影した映像を映像Ｉ／Ｆ３１２を介して磁気ディスク３０５や光ディスク３０７などの記録媒体に出力する。また、カメラ３１７によって車両外部の状況を撮影し、撮影した映像を映像Ｉ／Ｆ３１２を介して磁気ディスク３０５や光ディスク３０７などの記録媒体に出力する。また、カメラ３１７は、赤外線カメラ機能を有しており、赤外線カメラ機能を用いて撮影された映像情報に基づいて車両内部に存在する物体の表面温度の分布を相対的に比較することができる。また、記録媒体に出力された映像は、上書き記録や保存がおこなわれる。【００６２】
図１に示した情報表示装置１００が備える出力部１０１、探索部１０２、出入国判断部１０３、取得部１０４、受付部１０５、通過判断部１０６、検索部１０７、変更部１０８、設定部１０９は、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。【００６３】
すなわち、実施例のナビゲーション装置３００は、ナビゲーション装置３００における記録媒体としてのＲＯＭ３０２に記録されている情報表示プログラムを実行することにより、図１に示した情報表示装置が備える機能を、図２に示した情報表示処理手順で実行することができる。【００６４】
（ナビゲーション装置の処理の内容）
つぎに、ナビゲーション装置３００の処理の内容について説明する。図４は、本実施例にかかるナビゲーション装置の処理の内容を示すフローチャートである。図４のフローチャートにおいて、まず、目的地点が設定されるまで待って（ステップＳ４０１：Ｎｏのループ）、目的地点が設定された場合（ステップＳ４０１：Ｙｅｓ）、ステップＳ４０１において設定された目的地点までの経路を探索する（ステップＳ４０２）。【００６５】
つぎに、探索された経路において出入国審査をおこなう地点（国境検問所）があるか否かを判断する（ステップＳ４０３）。ステップＳ４０３において出入国審査をおこなう国境検問所があると判断された場合（ステップＳ４０３：Ｙｅｓ）、それぞれの国境検問所における出入国審査に関する情報を取得する（ステップＳ４０４）。そして、ディスプレイ３１３に入力画面を表示し（ステップＳ４０５）、利用者による査証（ビザ）およびパスポート（旅券）に関する情報の入力を受け付ける（ステップＳ４０６）。ステップＳ４０６においては、複数の利用者に対する査証およびパスポートに関する情報の入力を受け付けてもよい。また、査証およびパスポートに関する情報は、利用者の氏名、国籍、パスポートの有効期限、査証の有無、査証の種類などである。【００６６】
ステップＳ４０４において取得されたそれぞれの国境検問所における出入国審査に関する情報と、ステップＳ４０６において受け付けられた各利用者の査証およびパスポートに関する情報と、に基づいて、ステップＳ４０３において判断されたそれぞれの国境検問所において、査証が必要か否かを判断する（ステップＳ４０７）。そして、ステップＳ４０７において査証が必要な場合（ステップＳ４０７：Ｙｅｓ）、必要な査証があるか否かを判断する（ステップＳ４０８）。【００６７】
ステップＳ４０７において査証が必要ではない場合（ステップＳ４０７：Ｎｏ）、また、ステップＳ４０８において必要な査証がある場合（ステップＳ４０８：Ｙｅｓ）、パスポートの有効期限が条件を満たしているか否かを判断する（ステップＳ４０９）。ステップＳ４０９においてパスポートの有効期限が条件を満たしている場合（ステップＳ４０９：Ｙｅｓ）、各利用者がそれぞれの国境検問所における出入国審査を通過する条件を満たしている旨の情報を出力して（ステップＳ４１０）、一連の処理を終了する。一方、ステップＳ４０３において出入国審査をおこなう国境検問所がない場合（ステップＳ４０３：Ｎｏ）、そのままステップＳ４１０へ進み、ステップＳ４０２において探索された目的地点までの経路をそのまま表示する。【００６８】
また、ステップＳ４０８において必要な査証がない場合（ステップＳ４０８：Ｎｏ）、またはステップＳ４０９においてパスポートの有効期限が条件を満たしていない場合（ステップＳ４０９：Ｎｏ）、各利用者に対して出入国のできない国とその理由を報知する（ステップＳ４１１）。そして、ステップＳ４１１において報知された出入国のできない国に、出入国するために必要な条件の申請指示を受け付けたか否かを判断する（ステップＳ４１２）。ステップＳ４１２において申請指示を受け付けたか否かの判断は、たとえば、利用者による指示の入力を受け付けることで判断してもよい。【００６９】
ステップＳ４１２において申請指示を受け付けた場合（ステップＳ４１２：Ｙｅｓ）、出入国審査を通過する条件を申請するための在外公館を検索する（ステップＳ４１３）。ステップＳ４１３においては、ステップＳ４０８：Ｎｏにおいて必要な査証がない場合、各利用者が入国する国の在外公館を検索する。また、ステップＳ４０９：Ｎｏにおいてパスポートの有効期限が条件を満たしていない場合、各利用者の有する国籍に応じた在外公館を検索する。【００７０】
そして、ステップＳ４０２において探索された目的地点までの経路を、ステップＳ４１３において検出された在外公館を経由する経路に変更して（ステップＳ４１４）、ステップＳ４１０へ進む。この場合、ステップＳ４１０においては、ステップＳ４１４において変更された在外公館を経由する経路をディスプレイ３１３に表示する。また、ステップＳ４１２において申請指示を受け付けない場合（ステップＳ４１２：Ｎｏ）、そのまま一連の処理を終了する。【００７１】
（入力画面の内容の一例）
つぎに、図５を用いて、図４のステップＳ４０５において表示される入力画面について説明する。図５は、入力画面の内容の一例を示した説明図である。図５においては、入力画面５００は、利用者の名前欄５０１と、国籍欄５０２と、パスポート有効期限欄５０３と、査証欄５０４と、を含んでいる。名前欄５０１は、各利用者の名前または各利用者を識別可能な名称の入力を受け付ける。【００７２】
また、国籍欄５０２は、各利用者の国籍の入力を受け付ける。パスポート有効期限欄５０３は、各利用者のパスポートの有効期限の入力を受け付ける。査証欄５０４は、各利用者の査証の有無、さらに、各利用者の保有する査証の種類などの入力を受け付ける。これらの入力は、プルダウンによって選択することで入力される構成でもよい。【００７３】
また、入力画面５００に入力された内容は、磁気ディスク３０５および光ディスク３０７などに記録される構成でもよい。この場合、すでに記録された名前をプルダウンによって選択することで、関連付けられて記録された他の情報が自動的に選択されてもよい。具体的には、乗員２の項目の名前欄５０１において「鈴木  一郎」を選択することで、国籍欄５０２に「日本」、パスポート有効期限欄５０３に「２００９年１０月」、査証欄５０４に「なし」が自動的に選択される構成でもよい。また、さらに、プルダウンによって選択された情報を変更可能であってもよい。【００７４】
（経路変更処理の内容の一例）
つぎに、図６を用いて経路変更処理の内容について説明する。図６は、経路変更処理の内容の一例について示した説明図である。図６においては、Ａ国内の現在地点６０１からＢ国内の目的地点６０２までの経路６０３が、Ａ国およびＢ国の国境６０４を通っている。さらに、国境６０４には、国境検問所６０５があり、国境検問所６０５において入国審査がおこなわれる。したがって、本実施例のナビゲーション装置３００においては、現在地点６０１において目的地点６０２までの経路６０３を探索した際に、国境検問所６０５における出入国審査に関する情報を取得し、さらに、国境検問所６０５を通る各利用者の査証およびパスポートに関する情報の入力を受け付ける。【００７５】
ここで、国境検問所６０５を通る各利用者の中に、国境検問所６０５における入国審査を通過するための条件を満たさない利用者がいる場合、この利用者が入国審査を通過する条件を申請するための在外公館６０７を検索する。そして、経路６０３を在外公館６０７を経由する経路６０８に変更して、ディスプレイ３１３に表示する。【００７６】
（複数の旅行者による旅程の変更処理の内容）
つぎに、図７を用いて複数の利用者（旅行者）による旅程の変更処理の内容について説明する。図７は、複数の旅行者による旅程の変更処理の内容について示した説明図である。複数の旅行者は、それぞれの入国審査を通過するための条件が異なっていてもよい。具体的には、たとえば、旅行者の国籍がそれぞれ異なる場合、パスポートの有効期限がそれぞれ異なる場合、また、ビザが必要か否かそれぞれ異なる場合、などである。図７においては、旅行者Ａおよび旅行者ＢがＡ国からＢ国へ入り、Ｂ国において旅行者Ｃが途中参加する。そして、旅行者Ａ、旅行者Ｂおよび旅行者ＣはＢ国からＣ国へ入り、さらにＣ国からＤ国へ入る旅程を計画する。ここで、旅行者Ｂは、Ｃ国への入国審査を通過する条件を満たさず、Ｃ国へ入国できないこととする。【００７７】
このように、同行する旅行者の中に入国できない国のある旅行者がいる場合、旅程の代替案を探索する。代替案１としては、入国できない旅行者のいる国を、この旅行者が入国できる国へ変更する方法がある。具体的には、たとえば、旅行者Ａ、旅行者Ｂおよび旅行者Ｃは、旅行者Ｂが入国できないＣ国へ入国せず、旅行者Ａ、旅行者Ｂおよび旅行者Ｃが入国可能なＥ国へ入国する。ここで、たとえば、旅程が車両によって移動する旅行の場合、Ｅ国は、Ｂ国およびＣ国と隣接する国である。【００７８】
つぎに、代替案２としては、空路によって特定の国を避ける方法がある。具体的には、たとえば、旅行者Ｂは、Ｃ国へ入国せず、Ｂ国からＤ国へ空路によって移動し、Ｄ国で旅行者Ａおよび旅行者Ｃと再び同行する。また、代替案２においては、空路を用いる場合について説明したが、海路など、特定の国を避けることのできる方法であればよい。【００７９】
さらに、代替案３としては、訪問国を訪問する順番を変更する方法がある。具体的には、たとえば、旅行者Ａ、旅行者Ｂおよび旅行者Ｃは、Ｃ国およびＤ国へ訪問する順番を変更して、Ｂ国からＤ国へ入り、その後Ｄ国からＣ国へ入るようにする。ここで、たとえば、旅程が車両によって移動する旅行の場合、Ｂ国、Ｃ国およびＤ国は、それぞれが隣接することとする。【００８０】
上述したように、本実施例のナビゲーション装置３００によれば、探索部１０２によって探索された目的地点までの経路において、出入国判断部１０３によって出入国審査をおこなう地点があるか否かを判断する。出入国審査をおこなう地点があると判断された場合、取得部１０４によって取得された出入国審査に関する情報と、受付部１０５によって受け付けられた利用者の出入国に関する情報と、に基づいて、通過判断部１０６によって利用者が出入国審査を通過するための条件を満たすか否かを判断し、判断結果を出力部１０１へ出力することができる。【００８１】
したがって、目的地点までの経路において出入国審査があっても、事前に出入国審査に必要な条件を利用者に提示することができる。これによって、利用者は、国境を越える旅行やドライブなどの場合、目的地点までの経路が設定された時点で、国境検問所において出入国審査を通過するための条件を知ることができるため、出入国審査に必要なパスポートやビザなどを忘れることを防ぐことができる。【００８２】
また、本実施例のナビゲーション装置３００によれば、出入国判断部１０３によって目的地点までの経路において出入国審査をおこなう地点が複数あると判断された場合、取得部１０４によって取得された出入国審査に関する情報と、受付部１０５によって受け付けられた利用者の出入国に関する情報と、に基づいて、通過判断部１０６によって利用者がそれぞれの出入国審査を通過するための条件を満たすか否かを判断することができる。【００８３】
したがって、目的地点までの経路において出入国審査をおこなう地点が複数あっても、事前にそれぞれの出入国審査に必要な条件を利用者に提示することができる。これによって、利用者は、国境を複数回にわたって越える旅行やドライブなどの場合、目的地点までの経路が設定された時点で、それぞれの国境検問所において出入国審査を通過するための条件を知ることができる。したがって、目的地点までに複数の出入国審査があっても、それぞれの出入国審査に必要なパスポートやビザなどを忘れることを防ぎ、目的地点まで快適に旅行やドライブを楽しむことができる。【００８４】
また、本実施例のナビゲーション装置３００によれば、受付部１０５によって、複数の利用者の出入国に関する情報の入力を受け付け、通過判断部１０６によって、各利用者が出入国審査を通過するための条件を満たすか否かを判断することができる。したがって、利用者が複数人いる場合、事前に出入国審査に必要な条件を利用者ごとに提示することができる。これによって、複数人の利用者が同行して、国境を越える旅行やドライブなどをする場合、目的地点までの経路が設定された時点で、国境検問所において出入国審査を通過するための条件を利用者ごとに知ることができる。したがって、同行する全員が出入国審査に必要なパスポートやビザなどを忘れることを防ぎ、目的地点まで快適に旅行やドライブを楽しむことができる。【００８５】
また、本実施例のナビゲーション装置３００によれば、取得部１０４によって取得された出入国審査に関する情報と、受付部１０５によって受け付けられた複数の利用者の出入国に関する情報と、に基づいて、通過判断部１０６によって、各利用者がそれぞれの出入国審査を通過するための条件を満たすか否かを判断することができる。したがって、利用者が複数人いる場合、目的地点までの経路において出入国審査をおこなう地点が複数あっても、事前にそれぞれの出入国審査に必要な条件を利用者ごとに提示することができる。【００８６】
これによって、複数人の利用者が同行して、国境を複数回にわたって越える旅行やドライブなどをする場合、目的地点までの経路が設定された時点で、それぞれの国境検問所において出入国審査を通過するための条件を利用者ごとに知ることができる。したがって、目的地点までに複数の出入国審査があっても、同行する全員がそれぞれの出入国審査に必要なパスポートやビザなどを忘れることを防ぎ、目的地点まで快適に旅行やドライブを楽しむことができる。【００８７】
また、本実施例のナビゲーション装置３００によれば、通過判断部１０６によって出入国審査を通過する条件を満たさないと判断された利用者がいる場合、検索部１０７によって出入国審査を通過する条件を申請するための在外公館を検索し、変更部１０８によって、目的地点までの経路を検索された在外公館を経由する経路に変更することができる。したがって、出入国審査を通過する条件を満たさない利用者に対して、出入国審査を通過する条件を申請するための在外公館まで誘導することができる。これによって、利用者は、出入国審査を通過する条件を申請することができ、国境を越える旅行やドライブなどを、目的地点まで快適に楽しむことができる。【００８８】
また、本実施例のナビゲーション装置３００によれば、通過判断部１０６によって出入国審査を通過する条件を満たさない利用者がいると判断された場合、変更部１０８によって、目的地点までの経路を、出入国審査を通過する条件を満たさない利用者のいる国を通過しない経路に変更することができる。したがって、利用者の国籍やパスポートの有効期限などによって入国できない国を通らず、目的地点まで到達することができる。これによって、利用者は、同行者の入国可能な国のみを通る経路に変更することができ、国境を越える旅行やドライブなどを、目的地点まで快適に楽しむことができる。【００８９】
以上説明したように、本発明の情報表示装置、情報表示方法、情報表示プログラムおよび記録媒体によれば、ナビゲーション装置３００において現在地点６０１から目的地点６０２までの経路６０３に国境検問所６０５がある場合、それぞれの国境検問所６０５におおける出入国審査に関する情報と、入力画面５００に入力された各旅行者の査証およびパスポートに関する情報と、に基づいて、各旅行者がそれぞれの国境検問所６０５を通過する条件を満たしているか否かを判断し、判断結果を出力することができる。【００９０】
また、出入国審査を通過する条件を満たさない旅行者が同行する場合、目的地点までの経路を在外公館に立ち寄る経路へ変更したり、出入国審査を通過する条件を満たさない国を除いたりすることができる。これによって、利用者は、事前に、それぞれの出入国審査を通過するための条件を利用者ごとに確認できるため、国境検問所６０５において足止めされず、快適に旅行を楽しむことができる。【００９１】
なお、本実施の形態で説明した情報表示方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2008120329.tif 000003
【図２】
2008120329.tif 000004
【図３】
2008120329.tif 000005
【図４】
2008120329.tif 000006
【図５】
2008120329.tif 000007
【図６】
2008120329.tif 000008
【図７】
2008120329.tif 000009
【国際調査報告】
2008120329.tif 000010
2008120329.tif 000011
2008120329.tif 000012
2008120329.tif 000013